(57)【要約】【課題】非接触型ＩＣカードを非接触型リーダライタ装置に長時間搭載していた場合でも、非接触型ＩＣカードに必要以上の電力を供給することなく発熱を抑制して、電子情報の読み取り及び書き込みを行うことのできるＩＣカード読み書きシステムを提供する。【解決手段】制御端末３は、検出センサ３３を介してＲ／Ｗ装置４に非接触型ＩＣカード６が近接したことを認知すると、Ｒ／Ｗ装置４の電源をオンにし、Ｒ／Ｗ装置４に非接触型ＩＣカード６からＩＤ番号を読み取らせて、そのＩＤ番号を追記端末２に送信し、Ｒ／Ｗ装置４の電源をオフにする。また、読み取ったＩＤ番号を制御端末３から受信した追記端末２は、そのＩＤ番号に対応するＩＤ情報を編集し、編集したＩＤ情報を制御端末３に送信すると、制御端末４はＲ／Ｗ装置４の電源をオンにし、そのＩＤ情報を非接触型ＩＣカード６に書き込むよう制御し、書き込み後Ｒ／Ｗ装置４の電源をオフにする。【選択図】図１
2007140966.tif 000002
【特許請求の範囲】
【請求項１】
電源をオン・オフ可能であり、その電源の電力を電磁波に変換して、その電磁波により非接触型ＩＣカードと無線通信を行う非接触型リーダライタ装置と、
前記非接触型リーダライタ装置と通信可能な制御端末と、
前記制御端末と通信可能な追記端末と、を備え、
前記制御端末が、
前記非接触型リーダライタ装置に設けられた検出センサによって非接触型ＩＣカードが検出されることにより、前記非接触型リーダライタ装置に非接触型ＩＣカードが近接したことを認知する認知手段と、
前記認知手段により非接触型ＩＣカードが検出された場合に、前記非接触型リーダライタ装置の電源をオンにする第１起動手段と、
前記第１起動手段の起動後に前記非接触型リーダライタ装置に非接触型ＩＣカードからＩＤ番号を読み取らせる読取制御手段と、
前記読取制御手段によって前記非接触型リーダライタ装置で読み取ったＩＤ番号を前記追記手段に送信する第１送信手段と、
前記読取制御手段によって前記非接触型リーダライタ装置がＩＤ番号を読み取った後に、前記非接触型リーダライタ装置の電源をオフにする第１電源切断手段と、を有し、
前記追記端末が、
前記第１送信手段により送信されたＩＤ番号を受信する第１受信手段と、
前記第１受信手段により受信したＩＤ番号に対応するＩＤ情報を編集する編集手段と、
前記編集手段により編集されたＩＤ情報を前記制御端末に送信する第２送信手段と、を有することを特徴とするＩＣカード読み書きシステム。
【請求項２】
前記制御端末が、
前記第２送信手段により送信されたＩＤ情報を受信する第２受信手段と、
前記第２受信手段によりＩＤ情報を受信した後に、前記非接触型リーダライタ装置の電源をオンにする第２起動手段と、
前記第２起動手段の起動後に、前記第２受信手段により受信したＩＤ情報を非接触型ＩＣカードに書き込むことを前記非接触型リーダライタ装置に行わせる書込制御手段と、
前記書込制御手段によって前記非接触型リーダライタ装置がＩＤ情報を書き込んだ後に、前記非接触型リーダライタ装置の電源をオフにする第２電源切断手段と、を更に有することを特徴とする請求項１に記載のＩＣカード読み書きシステム。
【発明の詳細な説明】
【技術分野】
【０００１】
本発明は、無線通信によって非接触型ＩＣカードに対するデータの読み取り及び書き込みを行うＩＣカード読み書きシステムに関する。
【背景技術】
【０００２】
近年、樹脂製フィルム等にＩＣチップが埋め込まれた電源を持たない非接触型ＩＣカードが普及している。このような非接触型ＩＣカードは、ＩＣチップに個人情報が記憶されて各種免許証や社員証等として使用されている。
また、非接触型ＩＣカードは、コイルアンテナを備え、専用の非接触型リーダライタ装置から出力される磁界（この磁界とは電磁波の意味を含む）によりコイルアンテナに発生する誘導起電力が動作電力として供給されるので、電源を具備しなくとも動作可能となっている。
したがって、非接触型ＩＣカードを非接触型リーダライタ装置の磁界内に挿入させると、非接触型ＩＣカードに内蔵されたコイルが電磁誘導作用により起電力を発生させて、さらに、この電磁波を利用してアンテナコイルから非接触型ＩＣカード内のメモリに記録された電子情報を非接触型リーダライタ装置に送信するようになっている。
また、電子情報を書き込む場合には、非接触型リーダライタ装置からの信号をアンテナコイルが受信し、ＩＣチップ内のＭＰＵ(Micro Processing unit)の作用により、メモリとしてのＥＥＰＲＯＭ(Electrical Erasable Programable ROM)等に新たな電子データが記録されることにより行われる。
【０００３】
このように非接触型ＩＣカードは、電池を搭載せずに電磁誘導を利用した磁界エネルギーにより起電力を得る構成であるので、電力の確保に関して種々の発明がなされている。例えば、非接触型ＩＣカードを非接触型リーダライタ装置の所定位置に確実に搭載するために、非接触型リーダライタ装置のカード載置部にガイドレールを設け、かつ透明な蓋で非接触型ＩＣカードを覆うことで突発的な接触等による非接触型ＩＣカードのズレを防止しつつ確実な起電力を確保する技術が公知となっている（例えば、特許文献１参照）。
【特許文献１】特開平１１−１５４２０４号公報
【発明の開示】
【発明が解決しようとする課題】
【０００４】
しかしながら、非接触型ＩＣカードを非接触型リーダライタ装置に搭載して長時間放置していた場合には、電磁波による起電時間が長時間におよぶため、余分な電力を非接触型ＩＣカードに与えることになり、これによってＩＣチップ等の半導体素子が発熱を誘発し、ＩＣチップ内の電子情報が破壊されて非接触型ＩＣカードの機能に障害をもたらすというおそれがあった。
本発明は、上記事情に鑑みてなされたもので、非接触型ＩＣカードを非接触型リーダライタ装置に長時間搭載していた場合でも、非接触型ＩＣカードに必要以上の電力を供給することなく発熱を抑制して、電子情報の読み取り及び書き込みを行うことのできるＩＣカード読み書きシステムを提供することを目的としている。
【課題を解決するための手段】
【０００５】
上記課題を解決するため、請求項１の発明は、電源をオン・オフ可能であり、その電源の電力を電磁波に変換して、その電磁波により非接触型ＩＣカードと無線通信を行う非接触型リーダライタ装置と、
前記非接触型リーダライタ装置と通信可能な制御端末と、
前記制御端末と通信可能な追記端末と、を備え、
前記制御端末が、
前記非接触型リーダライタ装置に設けられた検出センサによって非接触型ＩＣカードが検出されることにより、前記非接触型リーダライタ装置に非接触型ＩＣカードが近接したことを認知する認知手段と、
前記認知手段により非接触型ＩＣカードが認知された場合に、前記非接触型リーダライタ装置の電源をオンにする第１起動手段と、
前記第１起動手段の起動後に前記非接触型リーダライタ装置に非接触型ＩＣカードからＩＤ番号を読み取らせる読取制御手段と、
前記読取制御手段によって前記非接触型リーダライタ装置で読み取ったＩＤ番号を前記追記手段に送信する第１送信手段と、
前記読取制御手段によって前記非接触型リーダライタ装置がＩＤ番号を読み取った後に、前記非接触型リーダライタ装置の電源をオフにする第１電源切断手段と、を有し、
前記追記端末が、
前記第１送信手段により送信されたＩＤ番号を受信する第１受信手段と、
前記第１受信手段により受信したＩＤ番号に対応するＩＤ情報を編集する編集手段と、
前記編集手段により編集されたＩＤ情報を前記制御端末に送信する第２送信手段と、を有することを特徴とする。
【０００６】
請求項２の発明は、請求項１に記載のＩＣカード読み書きシステムにおいて、
前記制御端末が、
前記第２送信手段により送信されたＩＤ情報を受信する第２受信手段と、
前記第２受信手段によりＩＤ情報を受信した後に、前記非接触型リーダライタ装置の電源をオンにする第２起動手段と、
前記第２起動手段の起動後に、前記第２受信手段により受信したＩＤ情報を非接触型ＩＣカードに書き込むことを前記非接触型リーダライタ装置に行わせる書込制御手段と、
前記書込制御手段によって前記非接触型リーダライタ装置がＩＤ情報を書き込んだ後に、前記非接触型リーダライタ装置の電源をオフにする第２電源切断手段と、を更に有することを特徴とする。
【発明の効果】
【０００７】
本発明によれば、制御端末によって検出センサを介して非接触型ＩＣカードの近接を認知し、非接触型ＩＣカードのＩＤ番号の読み取り時と、追記端末から入力された新たなＩＤ情報を非接触型ＩＣカードに書き込む時にのみ、非接触型リーダライタ装置の電源がオンにされ、それ以外の場合には電源がオフされるため、非接触型ＩＣカードに必要以上に電力が供給されることなくＩＣチップ等の発熱が抑制される。その結果、非接触型リーダライタ装置に非接触型ＩＣカードを長時間搭載していた場合でも、ＩＣチップ等が破壊されることなく、作動機能にも障害をもたらすことなく、ＩＤ番号の読み取り及び新たなＩＤ情報の書き込みを確実に行うことができる。
【発明を実施するための最良の形態】
【０００８】
以下、本発明の実施の形態について図面を参照しながら説明する。
なお、以下の説明において、非接触型リーダライタ装置は、ＩＳＯ（International  Organization  for  Standardization）規格IEC１４４４３で定める近接型の非接触型ＩＣカードで、そのうちのタイプＢの非接触型ＩＣカードに対して電子データの読み込みや書き込みが可能なリーダライタ装置を用いて説明を行うが、本発明はこれに限定されるものではなく、仕様の異なる他の形式の非接触型ＩＣカードのリーダライタ装置にも適用が可能である。
また、本実施の形態においては、主に、免許等の有資格者のＩＣカード（免許証等）を想定してＩＣカード読み書きシステムの説明を行うが、これに限らず、会社等の団体に所属する所員のＩＣカード（社員証等）に適用しても構わない。
さらに、以下の説明において、非接触型リーダライタ装置は「Ｒ／Ｗ装置」と言うこととする。
【０００９】
図１は、ＩＣカード読み書きシステム１００の全体構成を示した概略ブロック図であり、図２は、追記端末２、制御端末３及びＲ／Ｗ装置４の外観構成を示した斜視図である。
ＩＣカード読み書きシステム１００は、ホストコンピュータ１、追記端末２、制御端末３、Ｒ／Ｗ装置４を備え、ＩＣカード読み書きシステム１００を構成する各装置１〜４は通信ネットワーク５により接続されている。なお、１台のホストコンピュータ１に通信ネットワーク５を介して接続される追記端末２、制御端末３、Ｒ／Ｗ装置４の台数は特に限定されない。
【００１０】
通信ネットワーク５は、例えば、公衆回線、電話回線、ＩＳＤＮ回線、無線通信回線、専用線、ＣＡＴＶ回線といったネットワークである。この通信ネットワーク５は、任意な時に接続が可能であればよく、常時接続されている必要はない。また、通信ネットワーク５は、情報管理の信頼性の観点から、特定のユーザのみアクセス可能なセキュリティを確保していることが望ましい。または、ＩＣカード読み書きシステム１００は、通過する情報を制限するファイアウォール機能を有するプロキシサーバ等を備える構成であってもよい。
【００１１】
ホストコンピュータ１は、ＣＰＵ（Central Processing Unit）、ＲＡＭ（Random AccessMemory）、ＲＯＭ（Read Only Memory）、通信インターフェース等を有したコンピュータであり、更にデータベースを備えている。データベースは、ＩＤ番号（免許番号、登録番号といった識別番号）及び現在登録中のＩＤ情報（氏名、現住所、生年月日、本籍、電話番号、性別、身体データ等）を対応付けてしている。このデータベースには、最新のＩＤ情報がＩＤ番号に対応付けて格納されている。ホストコンピュータ１は、データベースに格納される情報の更新や読み出しを制御する。また、ホストコンピュータ１は、追記端末２からＩＤ番号及び新たなＩＤ情報を受信した場合に、データベースに記憶されている既存のＩＤ情報に、受信した新たなＩＤ情報を追記する機能を有する。
【００１２】
追記端末２は、ＣＰＵ、ＲＡＭ、記憶部、入力部２１、表示部２２、通信部等を有したコンピュータであり、ＩＤ番号及び新たなＩＤ情報を入力し、入力したＩＤ番号及びＩＤ情報をホストコンピュータ１に送信するものである。
入力部２１は、カーソルキー、数字入力キー、一致入力キー、不一致入力キー及び各種の機能キーを備え、これらのキーの押下操作に対応する操作信号をＣＰＵに出力する。
通信部は、追記端末２を通信ネットワーク５に接続するためのインターフェースであり、通信ネットワーク５を介してホストコンピュータ１や制御端末３と通信を行うための制御を行う。
表示部２２は、液晶ディスプレイといった表示装置であり、ＣＰＵから入力される表示制御信号に従ってＩＤ番号や個人情報等の各種データを表示する。
【００１３】
ＣＰＵは、記憶部に記憶されたプログラムに従って、追記端末２を構成する各部の動作を制御する。例えば、ＣＰＵは、Ｒ／Ｗ装置４で読み取ったＩＤ番号が制御端末３によって送信されると、そのＩＤ番号を受信して（第１受信手段）、受信したＩＤ番号に対応する既存のＩＤ情報を表示部２２に表示する。そして、表示した既存のＩＤ情報に対して入力部２１から新たなＩＤ情報が入力されると、そのＩＤ情報を追記して編集し、ＲＡＭに一時記憶させ、その後制御端末３に送信する（第２送信手段）。
【００１４】
ＲＡＭは、ＣＰＵによって実行されるプログラムをプログラム格納エリアに展開する。また、ＲＡＭは、プログラムの実行時に生じる処理結果等のデータをワークエリアに一時的に記憶する。例えば、ＲＡＭは、入力部２１から入力された新たなＩＤ情報を、ＩＤ番号及び既存のＩＤ情報に対応づけて一時的に記憶する。
【００１５】
記憶部は、プログラムやデータ等が予め記憶されている記録媒体を有しており、この記録媒体は、磁気的、光学的記録媒体若しくは半導体メモリで構成されている。この記憶部は、ＩＤ番号とＩＤ番号に対応付けられた既存のＩＤ情報とが格納されたデータベースを備え、入力部３１からの操作によりＣＰＵを介してＩＤ番号及びＩＤ情報の読み出し、データベースに新たなＩＤ情報が追記されるようになっている。
【００１６】
制御端末３は、ＣＰＵ、ＲＡＭ、記憶部、入力部３１、表示部３２、通信部を有したコンピュータであり、Ｒ／Ｗ装置４の電源制御を行うものである。すなわち、後述のＲ／Ｗ装置４に設けられた光電センサ３３（図２参照）に非接触型ＩＣカード６が搭載されて、光電センサ３３によって非接触型ＩＣカード６の存在が検出されることにより、Ｒ／Ｗ装置４に非接触型ＩＣカード６が近接したことを認知するようになっており、これによって電源制御を行う。
【００１７】
通信部は、制御端末３を通信ネットワーク５に接続するためのインターフェースであり、通信ネットワークを介して追記端末２やＲ／Ｗ装置４と通信を行うための制御を行う。
【００１８】
ＣＰＵは、記憶部に記憶されたプログラムに従って、制御端末３を構成する各部の動作を制御する。例えば、ＣＰＵは、光電センサ３３によって非接触型ＩＣカード６が近接したことを検出して（検出手段）、非接触型ＩＣカード６が検出された場合にＲ／Ｗ装置４の電源をオンし（第１起動手段）、Ｒ／Ｗ装置４を起動した後にＲ／Ｗ装置４にＩＤ番号を読み取らせる（読取制御手段）。このＩＤ番号の読み取りに際しては、Ｒ／Ｗ装置４、非接触型ＩＣカード６にＲＥＱＢコマンドを送信し、これを受信した非接触型ＩＣカード６がＲ／Ｗ装置４にＡＴＱＢコマンドを送信し、さらに、Ｒ／Ｗ装置４が制御端末３にＲＥＱＢレスポンスを送信することで、制御端末３のＣＰＵがＲＥＱＢレスポンスの受信の判別を行い、その後、Ｒ／Ｗ装置４に対してＩＤ番号の読み取りを指示することによって行う。
ここで、ＲＥＱＢコマンドとは、近接型の非接触ＩＣカード（タイプＢ）用のＩＣカードリクエストコマンドを言い、ＡＴＱＢコマンドとは、近接型の非接触ＩＣカード（タイプＢ）用のＩＣカードリクエスト応答信号を言う。
また、ＣＰＵは、追記時に追記端末２で編集されたＩＤ情報を受信した後に（第２受信手段）、Ｒ／Ｗ装置４の電源をオンし（第２起動手段）、受信したＩＤ情報を非接触型ＩＣカード６に追記するようにＲ／Ｗ装置４を制御し（書込制御手段）、ＩＤ情報を追記した後に、Ｒ／Ｗ装置４の電源をオフにする（第２電源切断手段）。このＩＤ情報の追記に際しては、ＩＤ番号の読み取りと同様に、Ｒ／Ｗ装置４、非接触型ＩＣカード６にＲＥＱＢコマンドを送信し、これを受信した非接触型ＩＣカード６がＲ／Ｗ装置４にＡＴＱＢコマンドを送信し、さらに、Ｒ／Ｗ装置４が制御端末３にＲＥＱＢレスポンスを送信することで、制御端末３のＣＰＵがＲＥＱＢレスポンスの受信の判別を行い、その後、Ｒ／Ｗ装置４に対してＩＤ情報の追記を指示することによって行う。
【００１９】
ＲＡＭは、ＣＰＵによって実行されるプログラムをプログラム格納エリアに展開する。また、ＲＡＭは、プログラムの実行時に生じる処理結果等のデータをワークエリアに一時的に記憶する。
記憶部は、プログラムやデータ等が予め記憶されている記録媒体を有しており、この記録媒体は、磁気的、光学的記録媒体若しくは半導体メモリで構成されている。
【００２０】
Ｒ／Ｗ装置４は、図２に示すように非接触型ＩＣカード６を搭載するためのＩＣカード搭載部４aを有し、ＩＣカード搭載部４aに非接触型ＩＣカード６の存在を検出する光電センサ３３が設けられている。Ｒ／Ｗ装置４は、制御端末３に通信可能に接続され、光電センサ３３での検出信号が入力されることにより制御端末３が非接触型ＩＣカード６の近接を認知して、制御端末３により電源のオン・オフが制御される。
さらに、ＩＣカード搭載部４aの内部には、後述するアンテナコイル４０が設けられ、このアンテナコイル４０が放出する電磁波と、非接触型ＩＣカード６に内蔵されるアンテナコイル６０との電磁誘導作用により、非接触型ＩＣカード６とＲ／Ｗ装置４との間で電子情報が送受信できるようになっている。
【００２１】
ここで、上記光電センサ３３は、本実施形態ではフォトダイオードを用いた光電センサを適用することが好ましい。ＩＣカード搭載部４aの搭載面は、非接触型ＩＣカード６より若干大きな平滑な形状をなしており、ＩＣカード搭載部４aの上であれば光電センサ３３の設置場所は特段制限されるものではないが、より確実に検出させるためには中央に設置するのが好ましい。また、光電センサ３３は、ＩＣカード搭載部４aに搭載された非接触型ＩＣカード６に対して赤外線を投射する赤外線投射素子及びこの赤外線を受光する赤外線受光素子からなる。よって、非接触型ＩＣカード６が光電センサ３３を覆うことで、赤外線投射素子が投射する赤外線が非接触型ＩＣカード６に反射される。この反射された赤外線を赤外線受光素子が受光することにより非接触型ＩＣカード６がＩＣカード搭載部４aに搭載されたことを検出するようになっている。なお、赤外線投射素子と赤外線受光素子とを対向させる位置に備え、非接触型ＩＣカード６が搭載されていない時には赤外線を受光する構成とし、この両者の間に非接触型ＩＣカード６が搭載されて赤外線を遮断することで、非接触型ＩＣカード６を検出するようにすることも可能である。このような光電センサ３３は、制御端末３のＣＰＵに接続され、検出信号の出力を行うことができるようになっており、これによって制御端末３が非接触型ＩＣカード６のＲ／Ｗ装置４への近接を認知する。
なお、非接触型ＩＣカード６の検出手段として、光電センサ３３以外に、音波センサ、物理的なスイッチ（例えば、非接触型ＩＣカード６の自重により押圧されてオン状態となる押圧スイッチ等）であっても良い。
【００２２】
図３は、Ｒ／Ｗ装置４の全体構成を示したブロック図である。
Ｒ／Ｗ装置４は、アンテナコイル４０、増幅回路４１、正弦波発生回路４２、ＰＳＫ変調器４３、発振器４４、ＰＳＫ復調器４５、Ａ／Ｄ（Analog/Digital）変換器４６、フィルタ回路４７、増幅回路４８及び電源回路４９を備えている。
発振器４４は、電源回路４９から電力の供給を受け、１３．５６ＭＨｚの搬送波を発生させてＰＳＫ変調器４３に供給する。ＰＳＫ変調器４３では、制御端末３から送信されるデータに９０度の２位相ＰＳＫ変調を行い、デジタル信号として信号を正弦波発生回路４２に供給される。正弦波発生回路４２で発生されるサイン波をキャリアとしてデジタル信号が増幅回路４１に供給される。増幅回路４１は、アンテナコイル４０を作動させ、これによって生じる電磁波により、非接触型ＩＣカード６に対してデータを送信するようになっている。
【００２３】
また、後述する非接触型ＩＣカード６からＲ／Ｗ装置４に送信されるデータを含む電磁波はアンテナコイル４０に受信される。アンテナコイル４０により受信された電磁波は、増幅回路４１で増幅されフィルタ回路４７に供給される。フィルタ回路４７は、ノイズ等を除去し必要な信号波形を抽出してデータを取り出すものである。このようにして得られたデータはＡ／Ｄ変換器４６に供給される。Ａ／Ｄ変換器４６は、入力されたアナログ信号をデジタル信号に変換するものである。デジタル信号に変換されたデータは、ＰＳＫ復調器４５に供給される。ＰＳＫ復調器４５は、入力信号に対しＰＳＫ復調器４５を行い、データの復調再生を行うようになっている。その後、復調されたデジタル信号は、制御端末３に出力されるようになっている。
【００２４】
図４は、非接触型ＩＣカード６の全体構成を示したブロック図である。
非接触型ＩＣカード６は、アンテナコイル６０、整流回路６１、フィルタ回路６２、定電圧回路６３、クロック回路６４、ＰＳＫ変調器６５、増幅器６６及びデータ処理部７０を備えている。
Ｒ／Ｗ装置４から伝送された伝送データは、アンテナコイル６０によって受信され、整流回路６１とクロック回路６４とに供給される。整流回路６１は供給された受信信号をフィルタ回路６２に出力する。フィルタ回路６２は、受信信号からノイズ等を除去し、特定の周波数の信号データ成分を取り出すものである。これにより取り出された信号データは、定電圧回路６３とデータ処理部７０とに供給される。
定電圧回路６３は、上記受信データを一定の直流電圧に平滑し非接触型ＩＣカード６の各電子回路に電力を供給する。
また、クロック回路６４に供給された受信信号は、伝送データからデータ処理部７０の動作クロックとＰＳＫ変調器６５の搬送波とを生成するようになっている。
【００２５】
データ処理部７０は、ＣＰＵ７１と、記憶部７２と、ＲＡＭ７３とからなるものである。例えば、データ処理部７０は、前述したフィルタ回路６２から受けた受信データと、クロック回路６４から受けた動作クロックとに基づいてデータ処理を実行する。具体的には、記憶部７２に記憶されているプログラムをＣＰＵ７１が実行し、受信データを解析し、解析された制御コマンドに基づいてデータを処理する。このとき制御コマンドが読出しコマンドである場合には、このコマンドが指定するデータが格納されたファイルが記憶されている記憶部７２等から目的のデータを読み出し、ＰＳＫ変調器６５に出力する。ＰＳＫ変調器６５は、この読み出されたデータに応じて、クロック回路６４が供給する搬送波をＰＳＫ変調し、増幅器６６に変調信号を送信する。増幅器６６は、この変調信号を電力増幅し、アンテナコイル６０を介してＲ／Ｗ装置４に電磁波を伝送する。
【００２６】
次に、ＩＣカード読み書きシステム１００の動作について説明する。図５及び図６は、ＩＣカード読み書きシステム１００において実行される処理を示すフローチャートである。
【００２７】
まず、Ｒ／Ｗ装置４に非接触型ＩＣカード６が搭載されると、光電センサ３３が非接触型ＩＣカード６の存在を検出することにより、制御端末３のＣＰＵに光電センサ３３の検出信号が出力されて、非接触型ＩＣカード６の近接を認知する（ステップＳ１）。
非接触型ＩＣカード６の近接を認知した制御端末３のＣＰＵは、Ｒ／Ｗ装置４の電源回路４９に電力供給コマンドを送信する。電力供給コマンドを受信した電源回路４９は、発振器４４に電力の供給を開始しＲ／Ｗ装置４の電源がオンされる（ステップＳ２）。そして、Ｒ／Ｗ装置４の電源がオンされることにより、上述したようにＲ／Ｗ装置４の各回路素子が順次作動し、アンテナコイル４０を中心として電磁界を形成する。
【００２８】
Ｒ／Ｗ装置４の電源がオンされた後、Ｒ／Ｗ装置４は初期化処理を行い、処理が完了すると（ステップＳ３）、制御端末３はＲ／Ｗ装置４、非接触型ＩＣカード６へＲＥＱＢコマンドを送信する（ステップＳ４）。ＲＥＱＢコマンドを受信した非接触型ＩＣカード６は、Ｒ／Ｗ装置４にＡＴＱＢコマンドを送信し、これを受けてＲ／Ｗ装置４は、制御端末３にＲＥＱＢレスポンスを送信し（ステップＳ５）、制御端末３がＲＥＱＢレスポンスを受信したか否かの判別を行う（ステップＳ６）。
制御端末３がＲＥＱＢレスポンスを受信しない場合には、制御端末３のＣＰＵは電源回路４９に電力停止コマンドを送信し、電力停止コマンドを受信した電源回路４９は、発振器４４への電力の供給を停止しＲ／Ｗ装置４の電源がオフされる（ステップＳ７）。
一方、制御端末３がＲＥＱＢレスポンスを受信した場合には、制御端末３は非接触型ＩＣカード６の情報の読み取りが可能であることを追記端末２へ送信する（ステップＳ８）。
【００２９】
その後、追記端末２は、制御端末３へＩＤ番号の送信を要求する（ステップＳ９）。制御端末３は、Ｒ／Ｗ装置４にＩＤ番号の送信を要求し、Ｒ／Ｗ装置４は非接触型ＩＣカード６と通信してＩＤ番号を読み取り、ＩＤ番号とともに既存のＩＤ情報を制御端末３に送信する（ステップＳ１０）。
具体的に、Ｒ／Ｗ装置４は、形成した電磁界に挿入された非接触型ＩＣカード６の各回路素子の作用により、アンテナコイル６０から記憶部７２に記憶されたＩＤ番号及び既存のＩＤ情報がアンテナコイル４０に送信される。その後、ＩＤ番号及び既存のＩＤ情報は、Ｒ／Ｗ装置４の各回路素子の作用により制御端末３のＣＰＵに送信される。
そして、制御端末３はＩＤ番号及び既存のＩＤ情報を受け取ると記憶部に記憶させる（ステップＳ１１）。
【００３０】
ＩＤ番号及び既存のＩＤ情報を受信した制御端末３は、電源回路４９に電力停止コマンドを送信し、電力停止コマンドを受信した電源回路４９は、発振器４４への電力の供給を停止しＲ／Ｗ装置４の電源がオフされる（ステップＳ１２）。これにより、アンテナコイル４０からの電磁波の放出が停止され、非接触型ＩＣカード６内部での発熱も抑制される。
【００３１】
続いて、制御端末３は、受信したＩＤ番号及び既存のＩＤ情報を追記端末２に送信し、受信した追記端末２は、記憶部に記憶されているアプリケーションプログラムに基づいて演算処理がなされ、表示部２２にこれらＩＤ番号及び既存のＩＤ情報を表示する。そして、入力部２１から新たなＩＤ情報が入力されると、その新たなＩＤ情報を既存のＩＤ情報に追記して編集し（ステップＳ１３）、ＲＡＭに記憶する。
その後、新たなＩＤ情報を非接触型ＩＣカード６に追記するために、入力部２１の追記決定キーが操作され追記決定信号がＣＰＵに入力されると、新たなＩＤ情報をホストコンピュータ１に送信し、ホストコンピュータ１のデータベース内で既存の情報に追記して格納する。
また、同時に追記端末２は、制御端末３にＩＤ情報の追記を指示する信号を出力し（ステップＳ１４）、指示信号が入力された制御端末３は、電源回路４９に電力供給コマンドを送信する。電力供給コマンドを受信した電源回路４９は、発振器４４に基準電力の供給を開始しＲ／Ｗ装置４の電源がオンされる（ステップＳ１５）。
【００３２】
その後、制御端末３は、Ｒ／Ｗ装置５、非接触型ＩＣカード６へＲＥＱＢコマンドを送信する（ステップＳ１６）。ＲＥＱＢコマンドを受信した非接触型ＩＣカード６は、Ｒ／Ｗ装置４にＡＴＱＢコマンドを送信し、これを受けてＲ／Ｗ装置４は、制御端末３にＲＥＱＢレスポンスを送信し（ステップＳ１７）、制御端末３がＲＥＱＢレスポンスを受信したか否かの判別を行う（ステップＳ１８）。
制御端末３がＲＥＱＢレスポンスを受信しない場合には、制御端末３のＣＰＵは電源回路４９に電力停止コマンドを送信し、電力停止コマンドを受信した電源回路４９は、発振器４４への電力の供給を停止しＲ／Ｗ装置４の電源がオフされる（ステップＳ１９）。
一方、制御端末３がＲＥＱＢレスポンスを受信した場合には、制御端末３はＲ／Ｗ装置４に対して入力された新たなＩＤ情報の追記を指示する信号を出力する（ステップＳ２０）。
【００３３】
その後、Ｒ／Ｗ装置４は、非接触型ＩＣカード６から再度ＩＤ番号を読み出し、再度読み出したＩＤ番号と制御端末３の記憶部に記憶されたＩＤ番号とを比較し一致することを確認する（ステップＳ２１）。
【００３４】
このようにステップＳ１１で制御端末３がＲ／Ｗ装置４から受け取ったＩＤ番号及び既存のＩＤ情報を記憶部に記憶させておき、新たなＩＤ情報を追記する前に、Ｒ／Ｗ装置４が再度ＩＤ番号を読み出し、読み出したＩＤ番号と制御端末３で記憶したＩＤ番号とを比較し一致することを確認することで、ＩＣカード搭載部４aに搭載されていた非接触型ＩＣカード６が作業途中で他の非接触型ＩＣカードに入れ替えられていた場合でも、その入れ替え事実を確実に検出でき、入れ替えられた非接触型ＩＣカードを誤って読み取ったり、追記すべき非接触型ＩＣカード６と異なる非接触型ＩＣカード６に新たなＩＤ情報が追記されることを防止できる。
【００３５】
ＩＤ番号の一致が確認されると、Ｒ／Ｗ装置４は、非接触型ＩＣカード６に新たなＩＤ情報を追記する（ステップＳ２２）。そして、制御端末３はＲＡＭに新たなＩＤ情報が更に存在するか否かを判別する（ステップＳ２３）。
新たなＩＤ情報が更に存在する場合には、ステップＳ２０に戻り、制御端末３がＲ／Ｗ装置４に追記を指示する信号を出力する。
一方、新たなＩＤ情報が存在しない場合には、制御端末３は電源回路４９に電力停止コマンドを送信し、電力停止コマンドを受信した電源回路４９は、発振器４４への電力の供給を停止しＲ／Ｗ装置４の電源がオフされる（ステップＳ２４）。これにより、アンテナコイル４０からの電磁波の放出が停止され、非接触型ＩＣカード６内部での発熱も抑制される。
【００３６】
以上、本発明の実施の形態によれば、制御端末３によって検出センサ３３を介して非接触型ＩＣカード６の近接を認知して、非接触型ＩＣカード６のＩＤ番号を読み取る場合と、追記端末２から入力された新たなＩＤ情報を非接触型ＩＣカード６に追記する場合にのみ、Ｒ／Ｗ装置４の電源がオンとなるように制御するため、非接触型ＩＣカード６に必要以上に電力が供給されることなくＩＣチップ等の発熱が抑制される。その結果、ユーザがＲ／Ｗ装置４に非接触型ＩＣカード６を搭載したまま長時間経過した場合でも、ＩＣチップ等が破壊されることなく、作動機能にも障害をもたらすことなく、ＩＤ番号の読み取り及び新たなＩＤ情報の追記を確実に行うことができる。
さらに、制御端末３がＲ／Ｗ装置４から受け取ったＩＤ番号及び既存のＩＤ情報を記憶部に記憶させておき、新たなＩＤ情報を追記する前に、Ｒ／Ｗ装置４が再度ＩＤ番号を読み出し、読み出したＩＤ番号と制御端末３で記憶したＩＤ番号とを比較し一致することを確認した後に、制御端末３はＲ／Ｗ装置４に追記の指示を行うので、作業途中で他の非接触型ＩＣカードと入れ替えられていた場合でも、入れ替えられた非接触型ＩＣカードを間違って追記してしまうおそれがなく、安全面及び信頼性を向上させることができる。
【００３７】
なお、本発明の実施の形態は、上記実施の形態に限定されるものではなく、要旨を逸脱しない範囲で適宜変更可能である。
例えば、上記ステップＳ１０でＲ／Ｗ装置４が非接触型ＩＣカード６からＩＤ番号を受け取るときに、非接触型ＩＣカード６のユニーク番号も受け取るようにし、ステップＳ１１でこのユニーク番号を制御端末３の記憶部に記憶させておく。そして、ステップＳ２１において、Ｒ／Ｗ装置４が非接触型ＩＣカード６から再度ユニーク番号を読み出して、再度読み出したユニーク番号と制御端末に記憶されたユニーク番号とを比較し一致することを確認するように構成しても構わない。
【図面の簡単な説明】
【００３８】
【図１】ＩＣカード読み書きシステム１００の全体構成を示した概略ブロック図である。
【図２】追記端末２、制御端末３及びＲ／Ｗ装置４の外観構成を示した斜視図である。
【図３】Ｒ／Ｗ装置４の全体構成を示したブロック図である。
【図４】非接触型ＩＣカード６の全体構成を示したブロック図である。
【図５】ＩＣカード読み書きシステム１００において実行される処理を示すフローチャートであり、ステップＳ１〜ステップＳ１２である。
【図６】ＩＣカード読み書きシステム１００において実行される処理を示すフローチャートであり、ステップＳ１３〜ステップＳ２４である。
【符号の説明】
【００３９】
１  ホストコンピュータ
２  追記端末
３  制御端末
４  非接触型リーダライタ装置
４a  ＩＣカード搭載部
５  通信ネットワーク
６  非接触型ＩＣカード
３３  光電センサ
４０  アンテナコイル
４１  増幅回路
４２  制限波発生回路
４３  ＰＳＫ変調器
４４  発振器
４５  ＰＳＫ復調器
４６  Ａ／Ｄ変換器
４７  フィルタ器
４８  増幅回路
４９  電源回路
６０  アンテナコイル
６１  整流回路
６２  フィルタ回路
６３  定電圧回路
６４  クロック回路
６５  ＰＳＫ変調器
６６  増幅器
７０  データ処理部
７１  ＣＰＵ
７２  記憶部
７３  ＲＡＭ
１００  ＩＣカード読み書きシステム
【図１】
2007140966.tif 000003
【図２】
2007140966.tif 000004
【図３】
2007140966.tif 000005
【図４】
2007140966.tif 000006
【図５】
2007140966.tif 000007
【図６】
2007140966.tif 000008